(57)【特許請求の範囲】
【請求項１】
ホログラフィを利用して情報を記録した情報記録層を備えた光情報記録媒体に対して再生用参照光を照射し、その再生用参照光が照射されることによって発生される再生光を検出して情報を再生する光情報再生方法において、
前記光情報記録媒体の前記再生用参照光が照射される前記情報記録層には、特定のページ又はブロックの記録パターンとして、第１の参照光に対しては既知パターンが記録され、第２の参照光に対してはデータパターンが記録されており、
前記第１の参照光が照射されることによって前記情報記録層で発生される前記再生光を収集し、前記既知パターンを検出する第１のステップと、
前記第１のステップで検出された前記既知パターンに対してフィルタリングによる等化処理を行って等化用情報を得て、その等化用情報を記憶する第２のステップと、
前記第２の参照光が照射されることによって前記情報記録層で発生される前記再生光を収集し、前記データパターンを検出する第３のステップと、
前記第３のステップで検出された前記データパターンに対して、前記第２のステップで記憶された前記等化用情報を用いてフィルタリングによる２次元等化処理を行うことにより、前記データパターンに含まれる符号間干渉を低減した等化後データパターンを得る第４のステップと
を含むことを特徴とする光情報再生方法。
【請求項２】
ホログラフィを利用して情報を記録した情報記録層を備えた光情報記録媒体に対して再生用参照光を照射し、その再生用参照光が照射されることによって発生される再生光を検出して情報を再生する光情報再生方法において、
前記光情報記録媒体の前記再生用参照光が照射される前記情報記録層には、複数のブロックのうち特定のブロックの記録パターンとして既知パターンが記録され、残りのブロックの記録パターンとしてデータパターンが記録されており、
前記再生用参照光が照射されることによって前記情報記録層の前記特定のブロックで発生される前記再生光を収集し、前記既知パターンを検出する第１のステップと、
前記第１のステップで検出された前記既知パターンに対してフィルタリングによる等化処理を行って等化用情報を得て、その等化用情報を記憶する第２のステップと、
前記再生用参照光が照射されることによって前記情報記録層の前記特定のブロック以外のブロックで発生される前記再生光を収集し、前記データパターンを検出する第３のステップと、
前記第３のステップで検出された前記データパターンに対して、前記第２のステップで記憶された前記等化用情報を用いてフィルタリングによる２次元等化処理を行うことにより、前記データパターンに含まれる符号間干渉を低減した等化後データパターンを得る第４のステップと
を含むことを特徴とする光情報再生方法。
【請求項３】
ホログラフィを利用して情報を記録した情報記録層を備えた光情報記録媒体に対して再生用参照光を照射し、その再生用参照光が照射されることによって発生される再生光を検出して情報を再生する光情報再生装置において、
前記光情報記録媒体の前記再生用参照光が照射される前記情報記録層には、特定のページ又はブロックの記録パターンとして、第１の参照光に対しては既知パターンが記録され、第２の参照光に対してはデータパターンが記録されており、
前記第１の参照光が照射されることによって前記情報記録層で発生される前記再生光を収集し、前記既知パターンを検出する第１の検出手段と、
前記第１の検出手段で検出された前記既知パターンに対してフィルタリングによる等化処理を行って等化用情報を得て、その等化用情報を記憶する等化用情報記憶手段と、
前記第２の参照光が照射されることによって前記情報記録層で発生される前記再生光を収集し、前記データパターンを検出する第２の検出手段と、
前記第２の検出手段で検出された前記データパターンに対して、前記等化用情報記憶手段で記憶された前記等化用情報を用いてフィルタリングによる２次元等化処理を行うことにより、前記データパターンに含まれる符号間干渉を低減した等化後データパターンを得るデータパターン等化手段と
を有することを特徴とする光情報再生装置。
【請求項４】
ホログラフィを利用して情報を記録した情報記録層を備えた光情報記録媒体に対して再生用参照光を照射し、その再生用参照光が照射されることによって発生される再生光を検出して情報を再生する光情報再生装置において、
前記光情報記録媒体の前記再生用参照光が照射される前記情報記録層には、複数のブロックのうち特定のブロックの記録パターンとして既知パターンが記録され、残りのブロックの記録パターンとしてデータパターンが記録されており、
前記再生用参照光が照射されることによって前記情報記録層の前記特定のブロックで発生される前記再生光を収集し、前記既知パターンを検出する第１の検出手段と、
前記第１の検出手段で検出された前記既知パターンに対してフィルタリングによる等化処理を行って等化用情報を得て、その等化用情報を記憶する等化用情報記憶手段と、
前記再生用参照光が照射されることによって前記情報記録層の前記特定のブロック以外のブロックで発生される前記再生光を収集し、前記データパターンを検出する第２の検出手段と、
前記第２の検出手段で検出された前記データパターンに対して、前記等化用情報記憶手段で記憶された前記等化用情報を用いてフィルタリングによる２次元等化処理を行うことにより、前記データパターンに含まれる符号間干渉を低減した等化後データパターンを得るデータパターン等化手段と
を有することを特徴とする光情報再生装置。
【請求項５】
前記既知パターンと前記データパターンのページは、物理的に少なくとも５０％以上前記既知パターンと前記データパターンとが重なった場所であることを特徴とする請求項３記載の光情報再生装置。
【請求項６】
前記既知パターンは、ページもしくはブロック内において、１ビットだけ、その他と反転の極性を有するビットで構成されたパターンであり、そのブロックが少なくとも２つ以上存在することを特徴とする請求項３乃至５のうちいずれか一項記載の光情報再生装置。
【請求項７】
ホログラフィを利用して情報を記録した情報記録層を備えた光情報記録媒体に対して再生用参照光を照射し、その再生用参照光が照射されることによって発生される再生光を検出して情報を再生する、請求項１又は２記載の光情報再生方法の各ステップを、コンピュータにより実行させることを特徴とする光情報再生プログラム。
【発明の詳細な説明】
【技術分野】
【０００１】
本発明は光情報再生方法、光情報再生装置、及び光情報再生プログラムに係り、特にホログラフィを利用して情報を記録した情報記録層を具備した光情報記録媒体から記録情報を光学的に再生する光情報再生方法、光情報再生装置、及び光情報再生プログラムに関する。
【背景技術】
【０００２】
ホログラフィを利用して記録媒体に情報を記録するホログラフィック記録は、一般的に、イメージ情報を持った光と参照光とを記録媒体の内部で重ね合わせ、そのときにできる干渉縞を記録媒体に書き込むことによって行われる。記録された情報の再生時には、その記録媒体に参照光を照射することにより、干渉縞による回折によりイメージ情報が再生される。
【０００３】
近年では、超高密度光記録のために、ボリュームホログラフィ、特にデジタルボリュームホログラフィが実用域で開発され注目を集めている。ボリュームホログラフィとは、記録媒体の厚み方向も積極的に活用して、３次元的に干渉縞を書き込む方式であり、厚みを増すことで回折効率を高め、多重記録を用いて記録容量の増大を図ることができるという特徴がある。そして、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。
【０００４】
このデジタルボリュームホログラフィでは、例えばアナログ的な絵のような画像情報も、一旦デジタイズして、２次元デジタルパターン情報（ページデータともいう）に展開し、これをイメージ情報として記録する。再生時は、このデジタルパターン情報を読み出してデコードすることで、元の画像情報に戻して表示する。これにより、再生時にＳＮ比（信号対雑音比）が多少悪くても、微分検出を行ったり、２値化データをコード化しエラー訂正を行ったりすることで、極めて忠実に元の情報を再現することが可能になる。
【０００５】
このような２次元デジタルパターン情報には、パターン検出の際に使用される、位置決め用の同期コード（以下、Ｓｙｎｃコード又はシンクコードという）が含まれている。このＳｙｎｃコードはＣＣＤ（Charge Coupled Devise：電荷結合素子）やＣＭＯＳ（Complementary Metal Oxide Semiconductor：相補性金属酸化膜半導体）で構成された画像検出器上に設けられたＳｙｎｃコードとのマッチングが取られる。そして、両Ｓｙｎｃコードが一致するようにして位置決めがなされ、再生画像が検出される。
【０００６】
なお、図１０は２次元デジタルパターン（ページデータ）の一例を示す。図１０において、複数個ある大きめのマークがＳｙｎｃコードであり、これを用いてＣＣＤやＣＭＯＳなどの画像検出器上で位置合わせが行われる。
【０００７】
２つの画像のマッチングを取るための１つの方法として、テンプレートマッチングが知られている（例えば、非特許文献１参照）。テンプレートマッチングは、ある画像情報の中から所望画像パターンが効率良く検知することができるものである。しかしながら、このテンプレートマッチングでは、最大相関値を所定の式を用いて算出する必要があるが、その式は再生像の中のあるパターンとテンプレート画像との類似性を示す相関値を求めるものであり、その相関値は全体のページデータを複数分割して設けられた１つの領域における再生像の中のすべての座標位置について算出するものであるため、計算量が膨大となり、迅速な処理による画像検出実現には問題である。
【０００８】
そこで、この問題を解決するため、ホログラフィを利用して情報を記録した情報記録層を備えた光情報記録媒体から情報を再生する装置において、再生用参照光を上記の情報記録層に対して照射することによって発生される再生光を検出する検出手段を、再生光に含まれる再生像の位置決めを行うためのシンクコード（Ｓｙｎｃコード）は全て同一のピクセル値を持つように設定し、ＸＹ平面からなるサーチ範囲においていずれか一方の成分を固定して、もう一方向での相関値を求め、次いで固定していた方の方向での相関値を取得し、サーチ範囲において得られた全ての相関値から最大となるものをマッチングが取れた位置とするようにした光情報再生装置が知られている（例えば、特許文献１参照）。
【０００９】
この特許文献１記載の従来の光情報再生装置によれば、全て同一のピクセル値を持つＳｙｎｃコードを導入することで、相関値を算出するための計算量を減らし、更に、相関値を計算する際に、Ｘ方向又はＹ方向を固定して、どちらか一方のサーチを行い、それが終了した後で、もう一方のサーチを行うことにより計算を簡略化することにより、計算処理時間の短縮を図っている。
【００１０】
【非特許文献１】「コンピュータ画像処理入門」、総研出版、昭和６１年６月１日発行、ｐ．１４９〜１５１
【特許文献１】特開２００４−３１０９５７号公報
【発明の開示】
【発明が解決しようとする課題】
【００１１】
しかるに、上記の特許文献１記載の従来の光情報再生装置では、ＳＹＮＣコード位置を見つけたとしても、実際の記録データビットを抽出するためには、２次元デジタルパターン（ページデータ）の歪みや回転には対応できず、ビット単位の位置を特定することができない。特に、実際のシステム上においては、光情報記録媒体である光ディスクの厚みムラや、面ブレ、偏心などにより生じた収差がデータの回転や湾曲、歪み、符号間干渉となって生じてくる。
【００１２】
２次元デジタルパターン（ページデータ）は画像処理として考えると、演算で回転をさせることも可能であるが、膨大な処理時間を要することは明白である。また、記録ビットが確定しないままの画像処理では、記録したビット数よりも多くのピクセルに対する処理を行わなければならなくなり、非現実な処理時間を有する。
【００１３】
このような状態のなかで、データの回転や湾曲、歪み、符号間干渉の低減を効率良く行うためには、イコライザ（ＥＱ）処理を行うのが望ましい。特に２次元のＥＱもしくは３次元（ページ方向を含む）のＥＱを施すことが重要である。効率良く２次元のＥＱを施すためには、収差に応じて、適応的に等化処理を行うことが望ましいが、エラーレートが悪い場合には、仮判別に誤りが多くなるため、正しいところに収束できなくなる。特に、ホログラフィ媒体への記録再生は、媒体、もしくは光学系のパラメータに敏感であるため、
正しいところに収束できなくなる可能性が高い。
【００１４】
本発明は以上の点に鑑みなされたもので、ホログラフィを利用して情報を記録した情報記録層を備えた光情報記録媒体から再生されたデータに回転、湾曲、歪み、符号間干渉などが生じても、適応等化処理が発散することなく、確実に等化処理を行い得る光情報再生方法、光情報再生装置、及び光情報再生プログラムを提供することを目的とする。
【課題を解決するための手段】
【００１５】
上記の目的を達成するため、第１の発明の光情報再生方法は、ホログラフィを利用して情報を記録した情報記録層を備えた光情報記録媒体に対して再生用参照光を照射し、その再生用参照光が照射されることによって発生される再生光を検出して情報を再生する光情報再生方法において、光情報記録媒体の再生用参照光が照射される情報記録層には、特定のページ又はブロックの記録パターンとして、第１の参照光に対しては既知パターンが記録され、第２の参照光に対してはデータパターンが記録されており、第１の参照光が照射されることによって情報記録層で発生される再生光を収集し、既知パターンを検出する第１のステップと、第１のステップで検出された既知パターンに対してフィルタリングによる等化処理を行って等化用情報を得て、その等化用情報を記憶する第２のステップと、第２の参照光が照射されることによって情報記録層で発生される再生光を収集し、データパターンを検出する第３のステップと、第３のステップで検出されたデータパターンに対して、第２のステップで記憶された等化用情報を用いてフィルタリングによる２次元等化処理を行うことにより、データパターンに含まれる符号間干渉を低減した等化後データパターンを得る第４のステップとを含むことを特徴とする。
【００１６】
また、上記の目的を達成するため、第２の発明は、ホログラフィを利用して情報を記録した情報記録層を備えた光情報記録媒体に対して再生用参照光を照射し、その再生用参照光が照射されることによって発生される再生光を検出して情報を再生する光情報再生方法において、光情報記録媒体の再生用参照光が照射される情報記録層には、複数のブロックのうち特定のブロックの記録パターンとして既知パターンが記録され、残りのブロックの記録パターンとしてデータパターンが記録されており、再生用参照光が照射されることによって情報記録層の特定のブロックで発生される再生光を収集し、既知パターンを検出する第１のステップと、第１のステップで検出された既知パターンに対してフィルタリングによる等化処理を行って等化用情報を得て、その等化用情報を記憶する第２のステップと、再生用参照光が照射されることによって情報記録層の特定のブロック以外のブロックで発生される再生光を収集し、データパターンを検出する第３のステップと、第３のステップで検出されたデータパターンに対して、第２のステップで記憶された等化用情報を用いてフィルタリングによる２次元等化処理を行うことにより、データパターンに含まれる符号間干渉を低減した等化後データパターンを得る第４のステップとを含むことを特徴とする。
【００１７】
第１及び第２の発明では、光情報記録媒体から検出した既知パターンに対して等化処理したときに得られる等化用情報を記憶しておき、同じ光情報記録媒体から検出したデータパターンに対して２次元等化処理する際に、学習値として記憶しておいた上記の等化用情報を用いて等化処理する。すなわち、本発明では、確実に正しい２次元等化特性（ＥＱ特性）を求めるために、既知パターンを利用する。従来は、既知パターンの記録は、光情報記録媒体の記録容量を低下させるため、避けられてきたが、ホログラフィを光情報記録媒体へ応用することによって、参照光と角度によるページの切り分けを利用した重ね書きが可能となり、飛躍的な容量増大が実現するので、既知パターンを記録する領域を設けることは、大きな問題ではなくなってくるからである。
【００１８】
また、上記の目的を達成するため、第３の発明は、ホログラフィを利用して情報を記録した情報記録層を備えた光情報記録媒体に対して再生用参照光を照射し、その再生用参照光が照射されることによって発生される再生光を検出して情報を再生する光情報再生装置において、光情報記録媒体の再生用参照光が照射される情報記録層には、特定のページ又はブロックの記録パターンとして、第１の参照光に対しては既知パターンが記録され、第２の参照光に対してはデータパターンが記録されており、第１の参照光が照射されることによって情報記録層で発生される再生光を収集し、既知パターンを検出する第１の検出手段と、第１の検出手段で検出された既知パターンに対してフィルタリングによる等化処理を行って等化用情報を得て、その等化用情報を記憶する等化用情報記憶手段と、第２の参照光が照射されることによって情報記録層で発生される再生光を収集し、データパターンを検出する第２の検出手段と、第２の検出手段で検出されたデータパターンに対して、等化用情報記憶手段で記憶された等化用情報を用いてフィルタリングによる２次元等化処理を行うことにより、データパターンに含まれる符号間干渉を低減した等化後データパターンを得るデータパターン等化手段とを有することを特徴とする。
【００１９】
また、上記の目的を達成するため、第４の発明は、ホログラフィを利用して情報を記録した情報記録層を備えた光情報記録媒体に対して再生用参照光を照射し、その再生用参照光が照射されることによって発生される再生光を検出して情報を再生する光情報再生装置において、光情報記録媒体の再生用参照光が照射される情報記録層には、複数のブロックのうち特定のブロックの記録パターンとして既知パターンが記録され、残りのブロックの記録パターンとしてデータパターンが記録されており、再生用参照光が照射されることによって情報記録層の特定のブロックで発生される再生光を収集し、既知パターンを検出する第１の検出手段と、第１の検出手段で検出された既知パターンに対してフィルタリングによる等化処理を行って等化用情報を得て、その等化用情報を記憶する等化用情報記憶手段と、再生用参照光が照射されることによって情報記録層の特定のブロック以外のブロックで発生される再生光を収集し、データパターンを検出する第２の検出手段と、第２の検出手段で検出されたデータパターンに対して、等化用情報記憶手段で記憶された等化用情報を用いてフィルタリングによる２次元等化処理を行うことにより、データパターンに含まれる符号間干渉を低減した等化後データパターンを得るデータパターン等化手段とを有することを特徴とする。
【００２０】
第３及び第４の発明の光情報再生装置は、光情報記録媒体から検出した既知パターンに対して等化処理したときに得られる等化用情報を記憶しておき、同じ光情報記録媒体から検出したデータパターンに対して２次元等化処理する際に、学習値として記憶しておいた上記の等化用情報を用いて等化処理する。
【００２１】
第４の発明の光情報再生装置が再生する光情報記録媒体には、記録面を複数のブロックに分け、特定のブロックの記録パターンは既知のパターンとし、他のブロックはデータパターンを記録し、再生用参照光が照射されることによって発生される再生光を収集し、検出する際、符号間干渉を受けた再生データパターンと、既知パターンとの関係から、符号間干渉を導き、それを補正するためのフィルタリング特性を求める。その特性に基づき、２次元等化処理を行う。
【００２２】
また、上記の目的を達成するため、第５の発明は上記の既知パターンとデータパターンのページは、物理的に少なくとも５０％以上既知パターンとデータパターンとが重なった場所であることを特徴とする。
【００２３】
また、本発明の光情報再生装置において、光情報記録媒体の既知パターンは、ページもしくはブロック内において、１ビットだけ、その他と反転の極性を有するビットで構成されたパターンであり、そのブロックが少なくとも２つ以上存在することを特徴とする。
【００２５】
また、上記の目的を達成するため、本発明の光情報再生プログラムは、ホログラフィを利用して情報を記録した情報記録層を備えた光情報記録媒体に対して再生用参照光を照射し、その再生用参照光が照射されることによって発生される再生光を検出して情報を再生する、第１又は第２の発明の光情報再生方法の各ステップを、コンピュータにより実行させることを特徴とする。
【発明の効果】
【００２６】
本発明によれば、光情報記録媒体から検出した既知パターンに対して等化処理したときに得られる等化用情報を記憶しておき、同じ光情報記録媒体から検出したデータパターンに対して２次元等化処理する際に、学習値として記憶しておいた上記の等化用情報を用いて等化処理するようにしたため、円盤状の光情報記録媒体の厚みムラ、面ブレ、偏心などにより生じた収差がデータパターンの回転や湾曲、歪み、符号間干渉となって生じた場合でも、適応等化処理が発散することなく、確実に正しい２次元等化特性（ＥＱ特性）をデータパターンに対して付与でき、これにより、回転や湾曲、歪み、符号間干渉を低減又は除去したデータパターンを得ることができる。
【発明を実施するための最良の形態】
【００２７】
次に、本発明の実施の形態について、図面と共に説明する。図１は本発明になる光情報再生装置及び光情報記録再生装置の再生系の一実施の形態の構成図、図２は図１中のピックアップ装置の一実施の形態の構成図を示す。本実施の形態に係る光情報再生装置の構成について図１と共に説明するに、本実施の形態の光情報再生装置１０は、光情報記録媒体（ここではホログラフィ媒体）１が取り付けられるスピンドル２１と、このスピンドル２１を回転させるスピンドルモータ２２と、光情報記録媒体１に対して再生用参照光を照射し、再生光を検出して、光情報記録媒体１に記録されている情報を再生するためのピックアップ装置２３と、このピックアップ装置２３を光情報記録媒体１の半径方向に移動可能とする駆動装置２４とを備えている。
【００２８】
また、光情報再生装置１０は、ピックアップ装置２３の出力信号よりフォーカスエラー信号ＦＥ、トラッキングエラー信号ＴＥ及び再生信号ＲＦを検出するための検出回路２５と、上記フォーカスエラー信号ＦＥに基づいて、ピックアップ装置２３内の対物レンズを光情報記録媒体１の厚み方向に移動させて光情報記録媒体１上の光ビームの焦点を制御するフォーカスサーボと、上記トラッキングエラー信号ＴＥに基づいてピックアップ装置２３内の対物レンズを移動制御して光情報記録媒体１上の光ビーム照射位置を光情報記録媒体１上のトラックに追従走査させるトラッキングサーボとを行うフォーカス／トラッキングサーボ回路２６と、本実施の形態の要部を構成する信号処理回路２７と、光情報再生装置１０全体の制御を行うコントローラ２８と、コントローラ２８に対して種々の指示を与える操作部２９とより構成されている。
【００２９】
なお、図示は省略したが、トラッキングエラー信号ＴＥ及びコントローラ２８からの指令に基づいて駆動装置２４を制御してピックアップ装置２３を光情報記録媒体１の半径方向に移動させるスライドサーボを行うスライドサーボ回路や、コントローラ２８からの指令に基づいてスピンドルモータ２２の回転を制御するスピンドルサーボ回路も設けられている。
【００３０】
コントローラ２８は、信号処理回路２７より出力される基本クロックやアドレス情報を入力として受け、ピックアップ装置２３や各種サーボ回路の動作を制御する。コントローラ２８は、ＣＰＵ（中央処理装置）、ＲＯＭ（リード・オンリ・メモリ）及びＲＡＭ（ランダム・アクセス・メモリ）を有し、ＣＰＵがＲＡＭを作業領域として、ＲＯＭに格納されたプログラムを実行することによって、コントローラ２８の機能を実現する。
【００３１】
また、信号処理回路２７は、本実施の形態の要部をなす回路で、ピックアップ装置２３内の後述するＣＭＯＳセンサ又はＣＣＤアレイの出力データをデコードして、光情報記録媒体１のデータエリアに記録されたデータを後述するフローチャートに従って再生したり、検出回路２５からの再生ＲＦ信号より基本クロックを再生したりアドレスを判別する。
【００３２】
次に、光情報記録媒体１の構成とピックアップ装置２３の構成について図２と共に更に詳細に説明する。図２において、光情報記録媒体１は、円盤状の透明基板２の一面に、ボリュームホログラフィを利用して情報が記録される情報記録層としてのホログラム記録層３と、保護層の機能を有する透明基板４と、アルミニウム製の反射膜５とが、この順番で積層された光ディスクの構成とされている。透明基板４は、例えば、インジェクションで作成されたアドレス付基板であり、アドレス・サーボエリアが所定の角度間隔で設けられ、隣り合うアドレス・サーボエリア間の区間がデータエリアになっている。なお、ホログラム記録層３は、光が照射されたときに光の強度に応じて屈折率、誘電率、反射率等の光学的特性が変化する公知のホログラム材料によって形成されている。
【００３３】
一方、ピックアップ装置２３は、光情報記録媒体１の透明基板２側に対向する対物レンズ１２と、対物レンズ１２の光情報記録媒体１の反対側に配設された１／４波長板１３、ミラー１４が配置されおり、また、レーザダイオード等の光源１５、コリメータレンズ１６、デフォーカス用凸レンズ１７、偏光ビームスプリッタ（ＰＢＳ）１８及び光検出器２０を有する構成とされている。
【００３４】
光源１５から出射した光は、コリメータレンズ１６で平行光とされ、デフォーカス用凸レンズ１７によって平行光を対物レンズ１２に発散して入射する再生用参照光に生成されてＰＢＳ１８に入射し、その偏光分離面１８ａを透過してミラー１４に入射し、更に１／４波長板１３によりＰ偏光の光が円偏光とされ、対物レンズ１２により光情報記録媒体１に再生用参照光として照射される。この再生用参照光は光情報記録媒体１に今回再生すべき情報を記録する際に用いられた記録用参照光と同じものである。なお、対物レンズ１２は、図示しないアクチュエータにより光情報記録媒体１の厚み方向及び半径方向に移動可能とされている。
【００３５】
光情報記録媒体１からの戻り光（再生光）は、対物レンズ１２を透過し、１／４波長板１３により円偏光からＳ偏光の光とされた後、ミラー１４で反射されてＰＢＳ１８に入射し、ＰＢＳ１８の偏光分離面１８ａで反射されて再生光検出手段であるＣＣＤまたはＣＭＯＳセンサからなる光検出器２０で受光される。
【００３６】
次に、本実施の形態の特徴について説明する。本実施の形態では、確実に正しい２次元イコライザ（ＥＱ）特性を求めるために、既知のパターンを記録再生する。従来は、既知のパターンの記録は、光ディスク媒体の記録容量を低下させるため、避けられてきたが、ホログラフィ媒体を光ディスクへ応用することによって、参照光と角度によるページの切り分けを利用した重ね書きが可能となり、飛躍的な容量増大が実現するので、既知のパターンを記録する領域を設けることは、大きな問題ではなくなってくるからである。既知パターンの記録方法は、データパターンの記録方法と同様に、イメージ情報である既知パターン情報で変調された光と参照光とを光情報記録媒体の内部で重ね合わせ、そのときにできる干渉縞を情報記録層に書き込むことで行われる。
【００３７】
上記の既知パターンの記録場所としては以下が考えられる。
【００３８】
（１）ページでデータパターンと分離（場所は同じ）
（２）ページでデータパターンと分離（少しずれた位置）
（３）ページ内でブロックに分割し、既知データパターン領域とデータパターン領域を記録する。
【００３９】
上記の（１）と（２）は、ホログラフィ媒体である光ディスク（図１の光情報記録媒体１）が、参照光によってページ分離可能なことを利用している。すなわち、ホログラフィ媒体では、参照光の位相を変えることでデータパターンと既知パターンを分離することができる。また、上記の（１）はホログラフィ媒体である光ディスク（図１の光情報記録媒体１）にデータパターンと既知パターンとを同一位置に重なるように記録しているので、光ディスクを停止、もしくは同一トラックを再度読む。これにより、それぞれのページに、光ディスクのチルトや面ブレの影響が同じように現れるため、正確な検出・補償ができることが期待できる。
【００４０】
しかし、実際には光ディスクは回転しているため、（１）のように全く同一位置からデータパターンと既知パターンを読み取ることは、サーボの回転パルス等で制御しない限り困難で、かつ、光ディスクの一回転再生を待たなければならない。そこで、上記の（２）のように、少しだけデータパターンと既知パターンをずらして記録し、直ぐに別ページを記録するようにすると、光ディスクのチルトや面ブレなどは周波数が低いため、光ディスクが回転していても（１）と同様の効果が期待できる。
【００４１】
但し、場所の影響を少なくするためには、図３に示すように、既知パターンのブロックIとデータパターンのブロックIIは、同じページでIIIで示すように物理的に５０％以上は重なっているほうがよいことは勿論である。また、上記のブロックは（３）のブロックと同様に、それぞれのページに存在する記録部のことである。上記の（３）は同じページ内の特定のブロックの記録パターンは既知のパターンとし、それ以外のブロックはデータパターンとすることである。
【００４２】
次に、既知パターンとデータパターンの例について説明する。図４（Ａ−１）が記録パターンの一例を示す。図４（Ａ−１）では、既知のパターンを黒四角形で示すように、中央だけ、反転するようなパターンとしている。すなわち、ページ又はブロック内において、１ビットだけその他と反転の極性を有するビットで構成されたパターンである。これは、２次元で考えられる孤立波形であり、このパターンを記録再生して図４（Ａ−２）のようになったとすると、これは伝達特性そのものを示していることになる。
【００４３】
すなわち、図４（Ａ−２）は記録再生により符号間干渉を有するパターンであり、中央の反転パターンから周囲へ行くほど再生レベルが増加する（中央が最も再生レベルが低いものとした場合）パターンであり、光検出器（図２の２０）で読み取った際のセルに入ってくる光量に対応したパターンである。光量は図中の濃淡に対応している。
【００４４】
図４（Ａ−３）は後述する再生方法及び再生装置により記録再生パターンから符号間干渉を取り除いた再生パターンを示す。なお、図４（Ａ−１）〜（Ａ−３）は孤立波形の場合であるが、これに対応したランダム信号を図４（Ｂ−１）〜（Ｂ−３）に示す。すなわち、図４（Ｂ−１）は光ディスクに記録されたランダム信号（データパターン）、同図（Ｂ−２）は光ディスクから再生された符号間干渉を有するランダム信号、同図（Ｂ−３）は本発明再生方法及び再生装置により符号間干渉が除去された再生ランダム信号を示す。
【００４５】
ここで、図４（Ａ−２）、（Ｂ−２）に示すような符号間干渉を有する再生信号から符号間干渉を除去するには、演算によって逆特性を求めて相殺除去するようにしてもよいが、実用的な手法として、等化がある。図５は本発明になる光情報再生装置の要部の一実施の形態のブロック図を示し、上記の等化を行う等化回路部である。この等化回路部は、図１の信号処理回路２７内に設けられている。
【００４６】
ここでは、原理的な説明を行うので隣接した２つの再生データ列を考えるが、図４（Ａ−２）のように、隣接±２以上のデータ列に伝達特性が影響しているものに関しては、隣接再生データ列を２よりも大きくした方がより効果的であることは勿論である。図５において、図２に示した光情報記録媒体１のホログラム記録層３のＸＹ平面に記録されている既知パターンのうち、Ｘ方向又はＹ方向に再生された既知パターン再生データ列は、トランスバーサルフィルタ３１に供給され、その既知パターン再生データ列の両側に隣接した既知パターン隣接再生データ列は、トランスバーサルフィルタ３２、３３に供給される。
【００４７】
前記トランスバーサルフィルタ３１、３２、３３は、それぞれ乗算器・低域フィルタ（ＬＰＦ）３４、３５、３６よりフィルタ係数（タップ係数）が入力されてそれに応じた特性のフィルタリング処理を入力信号に対して行う。トランスバーサルフィルタ３１は、乗算器・ＬＰＦ３４よりのタップ係数（フィルタ係数）に基づいて波形等化処理を行い、再生すべき所望のデータ列からの読取信号の前後の信号との符号間干渉の影響を低減する。このトランスバーサルフィルタ３１の出力波形等化後読取信号は、後述の減算器３７及び３８を通して減算器３９に供給される。
【００４８】
既知パターン発生ブロック４０により発生された既知パターンは、上記の減算器３９において波形等化後データと減算され、その差分値がエラー信号としてインバータ（ＩＮＶ）４１で極性を反転された後、乗算器・ＬＰＦ３４に供給され、ここでトランスバーサルフィルタ３１のタップ出力と乗算されて相関が検出され、ＬＰＦで積分される。乗算器・ＬＰＦ３４の出力積分値は、上記のエラー信号の値を０にする、トランスバーサルフィルタ３１のフィルタ係数（タップ係数）としてトランスバーサルフィルタ３１に入力される。上記のトランスバーサルフィルタ３１、乗算器・ＬＰＦ３４、減算器３７、３８、３９、インバータ４１よりなるフィードバックループは、よく知られているＬＭＳアルゴリズムを基本としている。
【００４９】
一方、トランスバーサルフィルタ３２、３３にタップ係数（フィルタ係数）を供給する乗算器・ＬＰＦ３５、３６は、減算器３９から出力されるエラー信号が入力され、ここでトランスバーサルフィルタ３２、３３のタップ出力と乗算して隣接再生データの相関を抽出し、更にその相関値をＬＰＦで積分してトランスバーサルフィルタ３２、３３に入力する。
【００５０】
このようにして、トランスバーサルフィルタ３２、３３のタップ係数（フィルタ係数）は、隣接再生データの相関値に応じて更新され、トランスバーサルフィルタ３２、３３からは各隣接再生データからの読取信号に対応した擬似クロストーク信号が取り出される。これらのトランスバーサルフィルタ３２、３３の出力擬似クロストーク信号は、トランスバーサルフィルタ３１からの波形等化後の既知パターン再生データ列の再生信号に、減算器３７、３８でそれぞれ減算される。
【００５１】
これにより、減算器３８からは、トランスバーサルフィルタ３１からの波形等化後の既知パターン再生データ列の再生信号中のクロストークが相殺除去された、Ｓ／Ｎの良好な再生信号（Ｘ方向又はＹ方向の等化後情報データ）が出力される。その結果、減算器３８からは図４（Ａ−３）に示すように、図４（Ａ−１）に示した元の既知パターンと同じ既知パターンが出力されると共に、等化するための各タップの係数が得られる。この実施の形態は、フィードバック処理であるため、安定な動作が実現できる。
【００５２】
この実施の形態では、トランスバーサルフィルタ３１を含む再生すべき既知パターン再生データ列の再生信号の符号間干渉除去ブロックと、トランスバーサルフィルタ３２及び３３を含む隣接再生データ列からの再生信号に基づく擬似クロストーク生成ブロックには、いずれも同一のエラー信号を０にするべく各タップ係数（フィルタ係数）を制御しているので、制御の衝突は発生しない。
【００５３】
なお、図４（Ａ−２）、（Ｂ−２）に示すような符号間干渉を有する再生信号から符号間干渉を除去するには、パーシャルレスポンス等化を前提とした仮判別を行う方法もある。その場合、等化後のデータパターンは図６（Ｃ）に示したようになる。なお、図６（Ａ）及び（Ｂ）は、図４（Ａ−１）及び（Ａ−２）に示したものと同じ、孤立波形の記録既知パターン、再生した符号間干渉を有する既知パターンを示す。
【００５４】
このパーシャルレスポンス等化を前提とした仮判別を行う方法では、図５に示した既知パターン発生ブロック４０から、パーシャルレスポンス応答に相当する値、例えば、ＰＲ（１，２，１）であれば、0, 0, 0.5, 1, 0.5, 0, 0というように出力すればよい（この場合は、中央レベルを１に正規化している。）。
【００５５】
次にデータパターンの等化について説明する。図７は本発明になる光情報再生装置の他の要部の一実施の形態のブロック図を示し、上記のデータパターンの等化を行う等化回路部である。この等化回路部は、図１の信号処理回路２７内に設けられている。
【００５６】
ここでは、原理的な説明を行うので隣接した２つのデータパターン再生データ列を考えるが、図４（Ａ−２）のように、隣接±２以上のデータ列に伝達特性が影響しているものに関しては、隣接再生データ列を２よりも大きくした方がより効果的であることは勿論である。図７において、図２に示した光情報記録媒体１のホログラム記録層３のＸＹ平面に記録されているデータパターンのうち、Ｘ方向又はＹ方向に再生されたデータパターン再生データ列は、トランスバーサルフィルタ４５に供給され、そのデータパターン再生データ列の両側に隣接したデータパターン隣接再生データ列は、トランスバーサルフィルタ４６、４７に供給される。
【００５７】
前記トランスバーサルフィルタ４５、４６、４７は、それぞれ係数発生ブロック４８、４９、５０よりフィルタ係数（タップ係数）が入力されてそれに応じた特性のフィルタリング処理を入力信号に対して行う。トランスバーサルフィルタ４５は、係数発生ブロック４８よりのタップ係数（フィルタ係数）に基づいて波形等化処理を行い、再生すべき所望のデータ列からの読取信号の前後の信号との符号間干渉の影響を低減する。
【００５８】
トランスバーサルフィルタ４６、４７は係数発生ブロック４９、５０から出力されたタップ係数（フィルタ係数）に基づいて波形等化処理を行い、再生すべきデータパターン再生データ列に含まれる擬似クロストーク信号成分を発生し、減算器５１、５２に供給してトランスバーサルフィルタ４５から出力される波形等化後のデータパターン再生データ列と減算させる。これにより、減算器５２からは、トランスバーサルフィルタ４５からの波形等化後のデータパターン再生データ列の再生信号中のクロストークが相殺除去された、Ｓ／Ｎの良好な再生信号（Ｘ方向又はＹ方向の等化後情報データ）が出力される。
【００５９】
ここで、図５と図７とを比較すると、図５の乗算器・ＬＰＦ３４、３５、３６が図７では係数発生ブロック４８、４９、５０に置き換わっており、図７では図５の構成により既知パターンや既知パターン隣接データによって学習した各タップ係数が係数発生ブロック４８、４９、５０に記憶されており、その係数発生ブロック４８、４９、５０からのタップ係数に基づいてトランスバーサルフィルタ４５、４６、４７が動作する。
【００６０】
なお、仮判別回路を設けて、適応等化にすることも可能である。既知データパターンによって学習した値を初期値とし、ある範囲までしか係数が変化しないように制限を与えておけば、発散を回避することができる。この場合の実施の形態のブロック図を図８に示す。同図中、図７と同一構成部分には同一符号を付し、その説明を省略する。図８において、減算器５２の出力等化後情報データは、仮判別回路５３及び減算器５４にそれぞれ供給される。
【００６１】
仮判別回路５３は、暫定的に入力信号を判別し、理想的な値（目標となる値）を出力する。この仮判別結果と仮判別回路５３の入力信号（減算器５２の出力信号）とが減算器５４において減算され、その差分値がエラー信号としてインバータ（ＩＮＶ）５５で極性を反転された後、乗算器・ＬＰＦ５６に供給され、ここでトランスバーサルフィルタ４５のタップ出力と乗算されて相関が検出され、ＬＰＦで積分される。なお、乗算器・ＬＰＦ５６には既知パターンにより学習した係数が初期値として記憶されている。
【００６２】
乗算器・ＬＰＦ５６の出力積分値は、上記のエラー信号の値を０にする、トランスバーサルフィルタ４５のフィルタ係数（タップ係数）としてトランスバーサルフィルタ４５に入力される。上記のトランスバーサルフィルタ４５、仮判別回路５３、減算器５４、インバータ５５、乗算器・ＬＰＦ５６よりなるフィードバックループは、よく知られるＬＭＳアルゴリズムを基本としている。
【００６３】
一方、図８のトランスバーサルフィルタ４６、４７にタップ係数（フィルタ係数）を供給する乗算器・ＬＰＦ５７、５８は、既知パターン再生データに隣接する既知パターンデータにより学習した係数が初期値として記憶されており、減算器５４から出力されるエラー信号が入力され、ここでトランスバーサルフィルタ６４、６５のタップ出力（係数）と乗算して隣接情報データの相関を抽出し、更にその相関値をＬＰＦで積分してトランスバーサルフィルタ４６、４７に入力する。
【００６４】
このようにして、トランスバーサルフィルタ４６、４７のタップ係数（フィルタ係数）は、隣接情報データの相関値に応じて更新され、トランスバーサルフィルタ４６、４７からは各隣接データパターンからの読取信号に対応した擬似クロストーク信号が取り出される。これらのトランスバーサルフィルタ４６、４７の出力擬似クロストーク信号は、トランスバーサルフィルタ４５からの波形等化後の再生すべきデータパターンの再生信号に、減算器５１、５２でそれぞれ減算される。
【００６５】
これにより、減算器５２からは、トランスバーサルフィルタ４５からの波形等化後の再生すべきデータパターンの再生信号中のクロストークが相殺除去された、Ｓ／Ｎの良好な再生信号（Ｘ方向又はＹ方向の等化後情報データ）が出力される。
【００６６】
なお、パーシャルレスポンス等化を前提とする場合には、仮判別回路５３はパーシャルレスポンス等化を前提とした仮判別（収束目標設定）を行うことは勿論である。パーシャルレスポンス等化を前提とした仮判別回路は、本発明者が開示した公知の回路である（例えば、特許第３３９５７３４号公報参照）。
【００６７】
次に、本発明になる光情報再生方法について説明する。図９は本発明になる光情報再生方法の一実施の形態のフローチャートを示す。この再生方法は図１の信号処理回路２７にて行われる。まず、図１の光情報記録媒体１に記録されているページ又はブロックから既知パターンを再生する（ステップＳ１）。ここで、ホログラフィを利用した光情報記録媒体１に情報を記録するホログラフィック記録は、一般的に、イメージ情報を持った光と参照光とを記録媒体の内部で重ね合わせ、そのときにできる干渉縞を光情報記録媒体１に書き込むことによって行われる。また、記録された情報の再生時には、その光情報記録媒体１に参照光を照射することにより、干渉縞による回折によりイメージ情報が再生される。
【００６８】
続いて、再生された既知パターンに対して、既知パターンの目標値に基づき、図５のような構成中のトランスバーサルフィルタを用いた波形等化処理を行い（ステップＳ２）、最終的に得られたタップ係数をランダム・アクセス・メモリ（ＲＡＭ）などのメモリに記憶する（ステップＳ３）。
【００６９】
続いて、光情報記録媒体１に記録されているページ又はブロックからデータパターンを再生する（ステップＳ４）。ここで、既知パターンとデータパターンとの読み出し（再生）時に用いる参照光は互いに異なり、既知パターンの記録位置とデータパターンの記録位置は例えばサーボ信号によって位置検出できる。また、参照光の位相を変えることで既知パターンとデータパターンとを分離できる。
【００７０】
ステップＳ４で得られたデータパターン再生データ列は、図７又は図８の構成により、ステップＳ３でＲＡＭなどのメモリに記憶されている既知パターン等化時に得られたタップ係数に基づき、波形等化される（ステップＳ５）。その後、波形等化されたデータパターン再生データ列に対して、データ検出を行う（ステップＳ６）。このとき、ビタビ復号と組み合わせたデータ検出を行うこともできる。
【００７１】
このように、本実施の形態によれば、光情報記録媒体の厚みムラ、面ブレ、偏心などにより生じた収差が再生データパターンの回転や湾曲、歪み、符号間干渉となって生じた場合でも、既知パターンを記録再生して得た等化処理時のタップ係数を、再生したデータパターンの学習値として利用することにより、適応等化処理が発散することなく、確実に等化処理できる。
【００７２】
なお、本発明は以上の実施の形態に限定されるものではなく、発明の本旨を逸脱しない範囲において、様々な変形が可能である。例えば、既知パターンは、図４（Ａ−１）等で説明した孤立波形に限定されるものではなく、また、ブロック内において、情報ビットの最小反転間隔であるビット長分だけ、その他と反転の極性を有するビットで構成されたパターンでもよい。
【００７３】
また、既知パターン及びデータパターンは、ベースバンド信号でもよいし、ＬＤＰＣ（Low Density Parity Check Code:低密度パリティ検査符号）変調（又はターボ符号化）された信号、もしくはそれを並び替えた信号、更にはそれを並び替えた信号をランレングス変調した信号であってもよい。ＬＤＰＣ変調した場合は、シャノン限界に近い訂正能力を有するので、効率が良く、かつ、低Ｓ／Ｎでも低いエラーレートを実現することが可能である。
【００７４】
また、既知パターン及びデータパターンは、ＣＤ（Compact Disc）、ＤＶＤ（Digital Versatile Disc）等で使用されているランレングス制限された信号でもよい。その場合は、伝送帯域とＳ／Ｎの関係から、既知データも最小ランレングス以上のパターンにすることが望ましい。
【００７５】
更に、以上の実施の形態における一連の処理は、ハードウェアにより実行させることもできるが、ソフトウェアにより実行させることもでき、本発明は一連の処理をソフトウェアにより実行させるコンピュータプログラムも包含するものである。このコンピュータプログラムは、コンピュータ専用のハードウェアに組み込まれていてもよいし、各種のプログラムをインストールすることで、各種の機能を実行させることが可能な、例えば汎用のパーソナルコンピュータなどにプログラム格納媒体からインストールされたり、あるいは通信ネットワークなどを介して配信されてインストールされてもよい。
【００７６】
また、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【００７７】
【図１】本発明装置の一実施の形態の構成図である。
【図２】図１中のピックアップ装置の一例の構成図である。
【図３】既知パターンのブロックとデータパターンのブロックが、同じページで物理的に５０％以上重なっている状態を示す図である。
【図４】孤立波形の既知パターンとランダム信号のそれぞれについて、記録信号、再生された符号間干渉を有する信号、符号間干渉を除去した再生信号をそれぞれ示す図である。
【図５】本発明装置の要部の一実施の形態のブロック図である。
【図６】孤立波形の既知パターンについて、記録信号、再生された符号間干渉を有する信号、パーシャルレスポンス等化を前提とした仮判別により符号間干渉を除去した再生信号をそれぞれ示す図である。
【図７】本発明装置の他の要部の一実施の形態のブロック図である。
【図８】本発明装置の他の要部の他の実施の形態のブロック図である。
【図９】本発明再生方法の一実施の形態のフローチャートである。
【図１０】光情報記録媒体上のＳｙｎｃコードを示す図である。
【符号の説明】
【００７８】
１  光情報記録媒体
３  ホログラム記録層
１０  光情報再生装置
１２  対物レンズ
１５  光源
２０  光検出器
２３  ピックアップ装置
２５  検出回路
２７  信号処理回路
３１、３２、３３、４５、４６、４７  トランスバーサルフィルタ
３４、３５、３６、５６、５７、５８  乗算器・ＬＰＦ
３７、３８、３９、５１、５２、５４  減算器
４０  既知パターン発生ブロック
４８、４９、５０  係数発生ブロック
５３  仮判別回路
【図１】
0004407575.tif 000002
【図２】
0004407575.tif 000003
【図３】
0004407575.tif 000004
【図４】
0004407575.tif 000005
【図５】
0004407575.tif 000006
【図６】
0004407575.tif 000007
【図７】
0004407575.tif 000008
【図８】
0004407575.tif 000009
【図９】
0004407575.tif 000010
【図１０】
0004407575.tif 000011